(57)【要約】【課題】複数の発光素子ごとの色調の微妙な違いをなくして統一した規定の色調でキートップを的確に照光することできるエレベータの押しボタン装置を提供する。【解決手段】透光性を有する押しボタン１１、及びこの押しボタン１１に対する押圧操作で作動するスイッチ素子１７を備える回路基板１４と、押しボタン１１を照光する面実装発光体１８とを具備する。面実装発光体１８は、同じ製造ラインで製造された発光素子２０を発光基板１９の板面に複数実装してなる。この面実装発光体１８は、その各発光素子２０が押しボタン１１における導光板１０の側面と対向するように回路基板１４に組み付けられ、その各発光素子２０の光で導光板１０を通して押しボタン１１のキートップ９が照光される。【選択図】    図２
2009155088.tif 000002
【特許請求の範囲】
【請求項１】
透光性を有する押しボタンと、
この押しボタンに対する押圧操作で作動するスイッチ素子を備える回路基板と、
前記押しボタンを照光する面実装発光体と、
を具備し、
前記面実装発光体は、同じ製造ラインで製造された発光素子を発光基板の板面に複数実装してなり、その各発光素子の光で前記押しボタンを照光することを特徴とするエレベータの押しボタンスイッチ装置。
【請求項２】
透光性を有する押しボタンと、
この押しボタンに対する押圧操作で作動するスイッチ素子を備える回路基板と、
前記押しボタンを照光する面実装発光体と、
を具備し、
前記押しボタンは導光板にキートップを取り付けてなり、
前記面実装発光体は、同じ製造ラインで製造された発光素子を発光基板の板面に複数実装してなり、
前記面実装発光体は、各発光素子が前記押しボタンにおける導光板の側面に対向するように前記回路基板に組み付けられていることを特徴とするエレベータの押しボタンスイッチ装置。
【請求項３】
透光性を有する２つ以上の偶数の押しボタンと、
これら押しボタンに対する押圧操作で作動するスイッチ素子を備える１つの回路基板と、
前記押しボタンを照光する面実装発光体と、
を具備し、
前記各押しボタンは、導光板にキートップを取り付けてなり、
前記面実装発光体は、同じ製造ラインで製造された発光素子を発光基板の両面にそれぞれ複数実装してなり、
前記２つ以上の押しボタンはその２つずつが互いに隣り合って並ぶように前記回路基板の上に配置され、
前記面実装発光体は、前記隣り合う２つの押しボタンの間に配置されているとともに、その発光基板の一方の面の各発光素子が前記一方の押しボタンにおける導光板の側面に対向し、発光基板の他方の面の各発光素子が前記他方の押しボタンにおける導光板の側面に対向するように前記回路基板に組み付けられていることを特徴とするエレベータの押しボタンスイッチ装置。
【発明の詳細な説明】
【技術分野】
【０００１】
この発明は、エレベータの乗場操作盤やかご内操作盤などに設けられるエレベータの押しボタンスイッチ装置に関する。
【背景技術】
【０００２】
この種の押しボタンスイッチ装置は、例えば特開２００６−２４０８８６公報に見られるように、透光性を有するキートップと、このキートップの裏面に取り付けられた導光板とを備え、これらキートップと導光板とで押しボタンが構成されている。
【０００３】
押しボタンは回路基板の上に平行移動可能に配置され、その回路基板にＬＥＤなどの発光素子、及び前記キートップに対する押圧操作で作動するスイッチ素子が設けられている。
【０００４】
前記発光素子は前記押しボタンの導光板の側面と対向するように複数並列して回路基板に組み付けられている。
【０００５】
そして、キートップを押圧操作すると、その動作でスイッチ素子が閉じ、所定の信号が出力されるとともに発光素子が発光し、その光で導光板を通してキートップが所定の色調に照光される。
【特許文献１】特開２００６−２４０８８６公報
【発明の開示】
【発明が解決しようとする課題】
【０００６】
このような押しボタンスイッチ装置は、回路基板の上に複数の発光素子を組み付ける工程を経て組み立てられる。つまり、１つの回路基板の上に複数の発光素子を１つずつ所定の配列となるように組み付けるわけである。
【０００７】
ここで、発光素子としては、予め所定の発光色のものが多数用意され、それらの発光素子が回路基板に１つずつ取り付けられる。
【０００８】
ところが、所定の発光色の発光素子であっても、その製造ラインの違いにより実際の発光時の色調が微妙に異なり、このような色調が微妙に異なる複数の発光素子のなかから所定数の発光素子を取り出して押しボタンスイッチ装置の回路基板に組み付けると、その個々の押しボタンスイッチ装置においても、発光時の色調に微妙な違いが生じて品質がばらつき、特にエレベータの操作盤に複数の押しボタンスイッチ装置を並べて配設するような場合に、照光した互いに隣り合うキートップごとで色調が微妙にずれ、視覚的に違和感が生じ、外観が低下するという問題がある。
【０００９】
この発明はこのような点に着目してなされたもので、その目的とするところは、複数の発光素子ごとの色調の微妙な違いをなくして統一した規定の色調でキートップを的確に照光することできるエレベータの押しボタン装置を提供することにある。
【課題を解決するための手段】
【００１０】
請求項１の発明は、透光性を有する押しボタンと、この押しボタンに対する押圧操作で作動するスイッチ素子を備える回路基板と、前記押しボタンを照光する面実装発光体とを具備し、前記面実装発光体は、同じ製造ラインで製造された発光素子を発光基板の板面に複数実装してなり、その各発光素子の光で前記押しボタンを照光することを特徴としている。
【００１１】
請求項２の発明は、透光性を有する押しボタンと、この押しボタンに対する押圧操作で作動するスイッチ素子を備える回路基板と、前記押しボタンを照光する面実装発光体とを具備し、前記押しボタンは導光板にキートップを取り付けてなり、前記面実装発光体は、同じ製造ラインで製造された発光素子を発光基板の板面に複数実装してなり、前記面実装発光体は、各発光素子が前記押しボタンにおける導光板の側面に対向するように前記回路基板に組み付けられていることを特徴としている。
【００１２】
請求項３の発明は、透光性を有する２つ以上の偶数の押しボタンと、これら押しボタンに対する押圧操作で作動するスイッチ素子を備える１つの回路基板と、前記押しボタンを照光する面実装発光体とを具備し、前記各押しボタンは導光板にキートップを取り付けてなり、前記面実装発光体は、同じ製造ラインで製造された発光素子を発光基板の両面にそれぞれ複数実装してなり、前記２つ以上の押しボタンはその２つずつが互いに隣り合って並ぶように前記回路基板の上に配置され、前記面実装発光体は、前記隣り合う２つの押しボタンの間に配置されているとともに、その発光基板の一方の面の各発光素子が前記一方の押しボタンにおける導光板の側面に対向し、発光基板の他方の面の各発光素子が前記他方の押しボタンにおける導光板の側面に対向するように前記回路基板に組み付けられていることを特徴としている。
【発明の効果】
【００１３】
この発明によれば、複数の発光素子ごとの色調の微妙な違いをなくして統一した規定の色調でキートップを的確に照光することできる。
【発明を実施するための最良の形態】
【００１４】
以下、この発明の実施の形態について図面を参照して説明する。
【００１５】
図１〜図３にはこの発明の第１の実施形態を示してある。図１にはエレベータホールの外観を示してあり、このエレベータホールにはエレベータの乗場口１及びこの乗場口１を開閉する乗場ドア２が設けられている。乗場口１の側方部には操作盤３が設けられ、この操作盤３にかご呼び登録用の押しボタンスイッチ装置４が配設されている。
【００１６】
押しボタンスイッチ装置４の構造を図２及び図３に示してあり、操作盤３のフェイスプレート７には開口８が形成され、フェイスプレート７の裏面側からその開口８にキートップ９が嵌入されている。なお、図２は押しボタンスイッチ装置４の断面図で、図３は図４におけるフェイスプレート７を取り除いた状態の押しボタンスイッチ装置４の平面図である。
【００１７】
キートップ９の裏面には断面くさび型状の導光板１０が密着して取り付けられ、これらキートップ９と導光板１０とで一体的な押しボタン１１が構成されている。キートップ９及び導光板１０はそれぞれ透光性材料で形成されている。
【００１８】
さらにフェイスプレート７の裏面側には複数のガイドピン１３を介して回路基板１４が押しボタン１１の導光板１０と対向するように取り付けられている。各ガイドピン１３は導光板１０を摺動自在に貫通しており、この貫通により押しボタン１１がガイドピン１３に沿って平行移動し得るようになっている。各ガイドピン１３の外周には導光板１０と回路基板１４との間に位置してそれぞれスプリング１５が装着され、これらスプリング１５により押しボタン１１がフェイスプレート７の配置側方向に弾性的に付勢され、この付勢力でキートップ９の一部が開口８を通してフェイスプレート７の表面側に僅かに突出するように保持されている。
【００１９】
回路基板１４には押しボタン１１の押し込みにより操作されるスイッチ素子１７が導光板１０と対向して取り付けられている。さらに、この回路基板１４には面実装発光体１８が取り付けられている。この面実装発光体１８は、発光基板１９の一方の面にＬＥＤなどの複数の発光素子２０を一方向に並ぶように実装してなる。
【００２０】
この面実装発光体１８の各発光素子２０は、同一の製造ラインで製造されたものであって、その製造ラインの工程中に発光基板１９に実装され、面実装発光体１８として組立てられている。そしてこの面実装発光体１８は、各発光素子２０が導光板１０の一方の側面と対向するように回路基板１４に組み付けられている。
【００２１】
このような構成の押しボタンスイッチ装置４において、エレベータの利用者がエレベータホールにおいて押しボタン１１を押圧操作すると、押しボタン１１がフェイスプレート７と離間する方向に移動してスイッチ素子１７がオンし、その信号によりかご呼びが登録されるとともに、面実装発光体１８の各発光素子２０が発光し、その光で導光板１０を通してキートップ９が照光され、これによりかご呼びが登録中であることが利用者に報知される。
【００２２】
そしてこの後、エレベータホールにかごが到着して着床した際に、乗場口１の乗場ドア２が開くとともに、面実装発光体１８の各発光素子２０が消灯してキートップ９に対する照光が消える。
【００２３】
面実装発光体１８は、同じ製造ラインで製造された発光素子２０をそのまま発光基板１９に実装してなるものであり、したがってその各発光素子２０の発光時の色調がすべて同じで、色調に差異が生じることがない。このため、例えば上階行き用の押しボタンスイッチ装置４のキートップ９と下階行き用の押しボタンスイッチ装置４のキートップ９が共に照光されたときに、一方のキートップ９と他方のキートップ９との間で色調に微妙なずれが生じるようなことがなく、その双方のキートップ９を同じ色調に保つことができ、違和感のない良好な外観とすることができる。
【００２４】
図４及び図５には第２の実施形態を示してある。図４は押しボタンスイッチ装置４の断面図で、図５は図４におけるフェイスプレート７を取り除いた状態の平面図である。この実施形態の押しボタンスイッチ装置４においては、回路基板１４が長方形状に形成され、この長方形状の１枚の回路基板１４の上の一方側と他方側とに分かれて２つの押しボタン１１が互いに隣り合って対称的に配列するように設けられている。
【００２５】
各押しボタン１１は、フェイスプレート７と回路基板１４との間に設けられた複数のガイドピン１３に沿って個々に平行移動することが可能であるととも、それぞれスプリング１５を介してフェイスプレート７の配置側方向に弾性的に付勢されている。
【００２６】
各押しボタン１１のキートップ９はフェイスプレート７に個々に形成された開口８にそれぞれ嵌合され、また回路基板１４には各押しボタン１１の導光板１０に対向してそれぞれスイッチ素子１７が組み付けられているとともに、一方の押しボタン１１の導光板１０と他方の押しボタン１１の導光板１０との間に位置して面実装発光体１８が組み付けられている。
【００２７】
この面実装発光体１８は、発光基板１９の一方の面と他方の面とにそれぞれＬＥＤなどの複数の発光素子２０を一方向に並ぶように実装してなる。各発光素子２０は、第１の実施形態の場合と同様に、同じ製造ラインで製造されたものであって、その製造ラインの工程中に発光基板１９に実装され、面実装発光体１８として組立てられている。そしてこの面実装発光体１８は、発光基板１９の一方の面の各発光素子２０が一方の押しボタン１１の導光板１０の側面に、発光基板１９の他方の面の各発光素子２０が他方の押しボタン１１の導光板１０の側面にそれぞれ対向するように回路基板１４に組み付けられている。
【００２８】
このような押しボタンスイッチ装置４においては、面実装発光体１８における発光基板１９の一方の面に設けられた発光素子２０が発光した際には、その光で一方の押しボタン１１の導光板１０を通してその押しボタン１１のキートップ９が照光され、発光基板１９の他方の面に設けられた発光素子２０が発光した際には、その光で他方の押しボタン１１の導光板１０を通してその押しボタン１１のキートップ９が照光され、発光基板１９の両方の面に設けられた発光素子２０が発光した際には、その光で両方の押しボタン１１の導光板１０を通して両方の押しボタン１１のキートップ９がそれぞれ照光される。
【００２９】
この場合においても、面実装発光体１８は、発光基板１９の一方の面と他方の面とに同じ製造ラインで製造された発光素子２０をそのまま実装してなるものであり、したがってその各発光素子２０の発光時の色調がすべて同じで、色調に差異が生じることがない。このため、互いに並列した一方のキートップ９と他方のキートップ９とが共に照光されたときに、一方のキートップ９と他方のキートップ９との間で色調に微妙なずれが生じるようなことがなく、その双方のキートップ９を同じ色調に保つことができ、違和感のない良好な外観とすることができる。
【００３０】
また、この実施形態では、並列して配置された一方の押しボタン１１と他方の押しボタン１１との間の隙間に１つの面実装発光体１８が配置された構造であるから、個々の押しボタン１１に対応して個々に面実装発光体１８を設けるような場合に比べ、構造が簡単で組立てが容易となり、また面実装発光体１８の配設スペースを狭めて全体を小型に構成することができる。
【００３１】
図６には第３の実施形態を示してあり、この実施形態の押しボタンスイッチ装置４においては、長方形状をなす１枚の大きな回路基板１４を備え、この大きな回路基板１４の上に例えば６つの押しボタン１１が上下左右に対称的に分かれるように配置されている。各押しボタン１１は、前記第１及び第２の実施形態の場合と同様に、個々に平行移動することが可能であるととも、それぞれ回路基板１４の反対側に向けて弾性的に付勢されている。
【００３２】
そしてそれぞれ左右に対称的に並んだ２つずつの押しボタン１１に関して、その一方の押しボタン１１の導光板１０と他方の押しボタン１１の導光板１０との間にそれぞれ面実装発光体１８が設けられている。これら面実装発光体１８は、発光基板１９の一方の面と他方の面とにそれぞれＬＥＤなどの複数の発光素子２０を一方向に並ぶように実装してなる。各発光素子２０は、第１及び第２の実施形態の場合と同様に、同じ製造ラインで製造されたものであって、その製造ラインの工程中に発光基板１９に実装され、面実装発光体１８として組立てられている。そしてこれら面実装発光体１８は、発光基板１９の一方の面の各発光素子２０が左右に並んだ一方の押しボタン１１の導光板１０の側面に、発光基板１９の他方の面の各発光素子２０が他方の押しボタン１１の導光板１０の側面にそれぞれ対向するように回路基板１４に組み付けられている。
【００３３】
このような押しボタンスイッチ装置４においては、面実装発光体１８における発光基板１９の一方の面に設けられた発光素子２０が発光した際には、その光で一方の押しボタン１１の導光板１０を通してその押しボタン１１のキートップ９が照光され、発光基板１９の他方の面に設けられた発光素子２０が発光した際には、その光で他方の押しボタン１１の導光板１０を通してその押しボタン１１が照光され、発光基板１９の両方の面に設けられた発光素子２０が発光した際には、その光で両方の押しボタン１１の導光板１０を通して両方の押しボタン１１のキートップ９がそれぞれ照光される。
【００３４】
この場合においても、面実装発光体１８は、発光基板１９の一方の面と他方の面とに同じ製造ラインで製造された発光素子２０をそのまま実装してなるものであり、したがってその各発光素子２０の発光時の色調がすべて同じで、色調に差異が生じることがない。このため、全部あるいは幾つかのキートップ９が共に照光されたときに、そのキートップ９との間で色調に微妙なずれが生じるようなことがなく、その各キートップ９を同じ色調に保つことができ、違和感のない良好な外観とすることができる。
【００３５】
また、この実施形態においても、左右に並列して配置された一方の押しボタン１１の導光板１０と他方の押しボタン１１の導光板１０との間の隙間に１つの面実装発光体１８が配置された構造であるから、個々の押しボタン１１に対応して個々に面実装発光体１８を設けるような場合に比べ、構造が簡単で組立てが容易となり、また面実装発光体１８の配設スペースを狭めて全体を小型に構成することができる。
【００３６】
ところで、図７に示すように、１枚の回路基板１４の上に２つの押しボタン１１を並列して設け、その一方の押しボタン１１の導光板１０と他方の押しボタン１１の導光板１０との間に、面実装発光体ではなく個々の発光素子２０を一方向に並べて設けるような場合、その発光素子２０の発光方向が交互に逆向きとなるように配列させて回路基板１４に組み付けるようにすれば、その発光素子２０の配設スペースを狭めて全体の小型化を図ることが可能である。
【図面の簡単な説明】
【００３７】
【図１】この発明の第１の実施形態に係る押しボタン装置が設けられたエレベータホールの外観を示す斜視図。
【図２】その押しボタン装置の断面図。
【図３】その押しボタン装置のフェイスプレートを取り除いた状態の平面図。
【図４】この発明の第２の実施形態に係る押しボタン装置の断面図。
【図５】その押しボタン装置のフェイスプレートを取り除いた状態の平面図。
【図６】この発明の第３の実施形態に係る押しボタン装置のフェイスプレートを取り除いた状態の平面図。
【図７】回路基板に個々に発光素子を取り付ける場合における発光素子の配列構造を示す平面図。
【符号の説明】
【００３８】
１…乗場口
２…乗場ドア
３…操作盤
４…押しボタン装置
９…キートップ
１０…導光板
１１…押しボタン
１４…回路基板
１７…スイッチ素子
１８…面実装発光体
１９…発光基板
２０…発光素子
【図１】
2009155088.tif 000003
【図２】
2009155088.tif 000004
【図３】
2009155088.tif 000005
【図４】
2009155088.tif 000006
【図５】
2009155088.tif 000007
【図６】
2009155088.tif 000008
【図７】
2009155088.tif 000009